(57)【要約】  複数個を接続した電力貯蔵モジュールを搭載し、電力を充放電できる電力貯蔵装置において、収納箱を仕切板で仕切って電力貯蔵エリアと制御機器エリアとに分割し、前記電力貯蔵エリアには、開口部を設けると共に、前記電力貯蔵モジュールを収納し、前記制御機器エリアには、開口部を設けると共に、前記電力貯蔵モジュールを開閉保護する開閉保護装置部を収納し、電力を充放電するための前記電力貯蔵モジュールからの主回路配線は前記開閉保護装置部を介して前記制御機器エリアから外部に導出され、前記電力貯蔵エリアの開口部は、取り外し可能なカバーで覆われ、前記制御機器エリアの開口部は、前記電力貯蔵エリアの開口部の前記カバーと独立した取り外し可能なカバーで覆われている。
2007122734.tif 000002
【特許請求の範囲】
【請求項１】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを収納し、
前記制御機器エリアには、開口部を設けると共に、前記電力貯蔵モジュールを開閉保護する開閉保護装置部を収納し、
電力を充放電するための前記電力貯蔵モジュールからの主回路配線は前記開閉保護装置部を介して前記制御機器エリアから外部に導出され、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われていることを特徴とする電力貯蔵装置。
【請求項２】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを収納し、
前記制御機器エリアには、開口部を設けると共に、前記電力貯蔵モジュールを開閉保護する開閉保護装置部と、前記開閉保護装置部を制御する制御部を収納し、
電力を充放電するための前記電力貯蔵モジュールからの主回路配線は前記開閉保護装置部を介して前記制御機器エリアから外部に導出され、
前記制御部は、前記開閉保護装置部と制御回路配線で接続され、
前記制御部は、前記開閉保護装置部を開閉制御し、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われていることを特徴とする電力貯蔵装置。
【請求項３】
前記電力貯蔵モジュールは、前記電力貯蔵エリアに設けられたパレット上に搭載されて複数段設け、前記各パレットは前記電力貯蔵エリアに固定されたガイドレールで保持されており、前記電力貯蔵エリアの開口部の前記カバーの取り外し時に、前記電力貯蔵モジュールを搭載した前記各パレットは、前記ガイドレールに沿ってスライドさせて前記電力貯蔵エリア外に引き出せるようにした請求項１又は請求項２記載の電力貯蔵装置。
【請求項４】
前記各パレットの下方には、前記電力貯蔵モジュールから漏出する電解液を通過させない絶縁プレートが配置され、前記各絶縁プレートは前記電力貯蔵エリアに固定されたガイドレールで保持されており、前記電力貯蔵エリアの開口部の前記カバーの取り外し時に、前記各絶縁プレートは前記ガイドレールに沿ってスライドさせて前記電力貯蔵エリア外に引き出せるようにした請求項３記載の電力貯蔵装置。
【請求項５】
前記電力貯蔵モジュールのうち、対地電位の最も高いものが前記電力貯蔵エリアの上部に、対地電位の最も低いものが前記電力貯蔵エリアの下部になるように順に積層配置されるようにした請求項１記載の電力貯蔵装置。
【請求項６】
前記開口部の下端は、前記収納箱の底面よりも高い位置とした請求項１記載の電力貯蔵装置。
【請求項７】
前記開閉保護装置部と前記制御部は、前記開口部の下端より高い位置に配置するようにした請求項２記載の電力貯蔵装置。
【請求項８】
前記主回路配線を前記制御機器エリアの外部へ導出する位置は、前記開口部の下端より高い位置に配置するようにした請求項２記載の電力貯蔵装置。
【請求項９】
前記主回路配線と前記制御回路配線は、別々の固定部材を用いて前記収納箱内部にそれぞれ固定されるようにした請求項２記載の電力貯蔵装置。
【請求項１０】
前記主回路配線と前記制御回路配線は、別々の貫通部材を用いて前記仕切板を貫通させるようにした請求項２記載の電力貯蔵装置。
【請求項１１】
前記カバーから冷却用空気が出入りできると共に、前記収納箱の背面に送風用ブロアを配置するようにした請求項１記載の電力貯蔵装置。
【発明の詳細な説明】
【技術分野】
【０００１】
この発明は、直流電力を貯蔵し、放電させる電力貯蔵装置に関するものである。
【背景技術】
【０００２】
従来より、電気車の制御装置へ、二次電池や電気二重層キャパシタ等の電力貯蔵モジュールを使用して電力充放電を可能とした電力貯蔵システムを適用し、車両のブレーキ時に発生する余剰回生電力を貯蔵し、また加速時に貯蔵した電力を使用することで、車両の持つ運動エネルギーを有効利用できることが知られている（例えば、特許文献１）。【０００３】
電気車の制御装置へ電力貯蔵システムを適用する場合、電力貯蔵システムの一構成要素である電力貯蔵装置には、電力を貯蔵する電力貯蔵モジュール、回路を保護あるいは開閉するための開閉保護装置部等の電気部品が配置され、さらに、それらを接続する主回路用の主回路配線、制御回路用の制御回路配線が敷設される。【０００４】
【特許文献１】特開２００６−１４４１２号公報
【発明の開示】
【発明が解決しようとする課題】
【０００５】
このような電力貯蔵装置を構成する上での課題は次のとおりである。
まず、電力貯蔵モジュールは、内部の電解液漏れの有無や、外観上の異常の有無の定期点検が必要であり、また５年〜１０年程度の寿命を有するものであるから、点検、交換作業の効率を考慮した構成にせねばならない。また、電気車を駆動するためには大きなエネルギーを貯蔵する必要があり、電力貯蔵モジュールを複数直並列接続して使用することになるため、複数直並列接続された電力貯蔵モジュールの両端が高電圧となる。従って、点検、交換作業時の感電を防止する観点での配慮が必要である。【０００６】
さらに、大きなエネルギーを有する電力貯蔵モジュールや電力貯蔵装置に短絡や破損等の異常が発生した場合は、被害の拡大を回避するために、速やかに回路を遮断し、電力貯蔵モジュールを確実にシステムから切り離す等の保護動作を確実に機能させることが重要である。このため、開閉保護装置部やその制御部等の電気部品や主回路配線、制御回路配線の配置に関しては、異常時にもこれらの機能を損なわないように構成する必要がある。【０００７】
以上のとおり、電力貯蔵装置を構成する主要要素である電力貯蔵モジュール、開閉保護装置部やその制御部等の電気部品、主回路配線、制御回路配線等の各部品を如何に配置するか、またその収納箱構造をどのように構成するかは、電力貯蔵モジュールの点検、交換作業がし易く、また安定・安全な電力貯蔵装置を得るために極めて重要な課題である。これまでに、電力貯蔵装置の内部配置に関する先行技術としては、特許文献１に示すように、絶縁方法に関するものが提示されているが、上記に示した課題を解決するような各部品配置、収納箱構造に関しては開示されていない。【０００８】
この発明では、電力貯蔵モジュールの点検、交換作業が容易で、且つ作業時の感電を防止でき、また短絡故障時や電力貯蔵モジュールの破損時においても、開閉保護装置部、制御部等の電気部品又は主回路配線もしくは制御回路配線を損傷せず、回路を遮断する等の保護動作が確実に得られる構成とした電力貯蔵装置を提供することを目的とする。
【課題を解決するための手段】
【０００９】
この発明の電力貯蔵装置は、複数個を接続した電力貯蔵モジュールを搭載し、電力を充放電できる電力貯蔵装置において、収納箱を仕切板で仕切って電力貯蔵エリアと制御機器エリアとに分割し、前記電力貯蔵エリアには、開口部を設けると共に、前記電力貯蔵モジュールを収納し、前記制御機器エリアには、開口部を設けると共に、前記電力貯蔵モジュールを開閉保護する開閉保護装置部を収納し、電力を充放電するための前記電力貯蔵モジュールからの主回路配線は前記開閉保護装置部を介して前記制御機器エリアから外部に導出され、前記電力貯蔵エリアの開口部は、取り外し可能なカバーで覆われ、前記制御機器エリアの開口部は、前記電力貯蔵エリアの開口部の前記カバーと独立した取り外し可能なカバーで覆われているものである。【００１０】
また、この発明の電力貯蔵装置は、複数個を接続した電力貯蔵モジュールを搭載し、電力を充放電できる電力貯蔵装置において、収納箱を仕切板で仕切って電力貯蔵エリアと制御機器エリアとに分割し、前記電力貯蔵エリアには、開口部を設けると共に、前記電力貯蔵モジュールを収納し、前記制御機器エリアには、開口部を設けると共に、前記電力貯蔵モジュールを開閉保護する開閉保護装置部と、前記開閉保護装置部を制御する制御部を収納し、電力を充放電するための前記電力貯蔵モジュールからの主回路配線は前記開閉保護装置部を介して前記制御機器エリアから外部に導出され、前記制御部は、前記開閉保護装置部と制御回路配線で接続され、前記制御部は、前記開閉保護装置部を開閉制御し、前記電力貯蔵エリアの開口部は、取り外し可能なカバーで覆われ、前記制御機器エリアの開口部は、前記電力貯蔵エリアの開口部の前記カバーと独立した取り外し可能なカバーで覆われているものである。【００１１】
さらに、この発明の電力貯蔵装置は、前記電力貯蔵モジュールは、前記電力貯蔵エリアに設けられたパレット上に搭載されて複数段設け、前記各パレットは前記電力貯蔵エリアに設けられたガイドレールで保持されており、前記電力貯蔵エリアの開口部の前記カバーの取り外し時に、前記電力貯蔵モジュールを搭載した前記各パレットは、前記ガイドレールに沿ってスライドさせて前記電力貯蔵エリア外に引き出せるようにしたものである。
【発明の効果】
【００１２】
本発明に係る電力貯蔵装置によれば、作業時の感電を防止でき、また短絡故障時や電力貯蔵モジュールの破損時においても、開閉保護装置部や制御部等の電気部品又は主回路配線もしくは制御回路配線を損傷せず、回路を遮断する等の保護動作が得られる。また、電力貯蔵モジュールの点検、交換作業が容易である。
【図面の簡単な説明】
【００１３】
【図１】この発明の実施の形態１による電力貯蔵装置で、前面カバーを開いた正面図である。
【図２】実施の形態１による電力貯蔵装置で、前面カバーを閉じた正面図である。
【図３】図１の電力貯蔵装置で、前面カバーを閉じたＡ−Ａ線断面図である
【図４】図１の電力貯蔵装置で、前面カバーを閉じたＢ−Ｂ線断面図である。
【図５】図１の電力貯蔵装置で、前面カバーを閉じたＣ−Ｃ線断面図である。
【図６】図１の電力貯蔵装置で、前面カバーを閉じたＤ−Ｄ線断面図である。
【図７】実施の形態２による電力貯蔵装置で、前面カバーを閉じた正面図である。
【図８】実施の形態３による電力貯蔵装置で、前面カバーを閉じた構成断面図である。
【符号の説明】
【００１４】
１  収納箱                            １ａ  制御機器エリア
１ｂ  電力貯蔵エリア                      ２  仕切板
３ａ，３ｂ  ガイドレール                ４ａ，４ａ１  パレット
５ａ，５ｂ  ガイドレール                ６ａ  絶縁プレート
２０ａ１―２０ａ３，２０ｂ１―２０ｂ３，２０ｃ１―２０ｃ３  電力貯蔵モジュール
２１Ｐａ  正極端子                      ２１Ｎａ  負極端子
２２Ｐ  正極側の主回路配線              ２２Ｎ  負極側の主回路配線
２２ａ  貫通部材                        ２２ｂ  貫通部材
２３  開閉保護装置部                    ２４  固定部材
３０ａ―３０ｃ  状態監視モニタ          ３２ａ，３２ｂ  貫通部材
【００１５】
３３  制御回路配線                      ３４  固定部材
３５  制御部                            ４０ａ―４０ｄ  取付部材
４１ａ―４１ｂ  パッキン                ４２ａ，４２ｂ  カバー
４３  カバー                            ４３ａ  防雨部材
４４  エアフィルタ                      ４５  エアダクト
４６  ブロア                            ５０  車体
５１ａ，５１ｂ，５１ｃ  取付部材        ５１ｄ、５１ｅ  取付部材
６０  床上又は屋根上
【発明を実施するための最良の形態】
【００１６】
実施の形態１．
図１はこの発明の実施の形態１による電力貯蔵装置の正面図（前面カバーを開いた状態）である。図２は実施の形態１による電力貯蔵装置の正面図（前面カバーを閉じた状態）である。図３は図１の電力貯蔵装置のＡ−Ａ線断面図（前面カバーを閉じた状態）である。図４は図１の電力貯蔵装置のＢ−Ｂ線断面図（前面カバーを閉じた状態）である。図５は図１の電力貯蔵装置のＣ−Ｃ線断面図（前面カバーを閉じた状態）である。図６は図１の電力貯蔵装置のＤ−Ｄ線断面図（前面カバーを閉じた状態）である。【００１７】
図１―図６に示すように、電力貯蔵装置に内蔵される主要部品としては、電力貯蔵モジュール２０ａ１―２０ａ３，２０ｂ１―２０ｂ３，２０ｃ１―２０ｃ３（図４）、状態監視モニタ３０ａ（図１）、制御回路配線３３、主回路配線２２Ｐ，２２Ｎ、制御部３５、開閉保護装置部２３があり、これらが収納箱１に収納されて電力貯蔵装置が構成される。電力貯蔵モジュールは、例えば二次電池や電気二重層キャパシタ等を電気的に複数個直並列して構成される。【００１８】
この収納箱１が取付部材５１ａ，５１ｂ，５１ｃを介して車体５０（例えば、車両の床下）に取り付けられている。収納箱１と取付部材５１ａ，５１ｂ，５１ｃは、例えば、金属であるアルミニウム，ステンレス，鉄で形成されている。なお、図示しないが、制御回路配線３３と主回路配線２２Ｐ，２２Ｎは収納箱１から外部に導出され、外部のＤＣＤＣコンバータ等の電力貯蔵システムを構成する装置へ接続されており、制御信号のやり取りを行いながら、電力の充放電を行う。なお、制御回路配線３３は、複数の制御回路配線から構成される線束を表している。【００１９】
次に、電力貯蔵モジュール２０ａ１―２０ａ３，２０ｂ１―２０ｂ３，２０ｃ１―２０ｃ３の配置構造について説明する。なお、電力貯蔵モジュールは２０ａ１―２０ａ３，２０ｂ１―２０ｂ３，２０ｃ１―２０ｃ３まであるが、基本的な構成はともに同様であるので、以下の説明は、図１の最上段に示している電力貯蔵モジュール２０ａ１―２０ａ３で代表して行うものとする。【００２０】
収納箱１は仕切板２で仕切られ、電力貯蔵エリア１ｂと制御機器エリア１ａに分割されている。電力貯蔵エリア１ｂには、収納箱１と仕切板２に固定されたガイドレール３ａ，３ｂで両側を支えられたパレット４ａが設置され、この上に電力貯蔵モジュール２０ａ１―２０ａ３が搭載されている（図１，図４）。パレット４ａの下部には、同様に収納箱１と仕切板２に固定されたガイドレール５ａ，５ｂで両側を支えられた絶縁プレート６ａが設置されている。パレット４ａに搭載された電力貯蔵モジュール２０ａ１―２０ａ３には、電圧、電流、温度等をモニタする状態監視モニタ３０ａが設置されており、ここからの信号は制御回路配線３３に接続される。なお、仕切板２とガイドレール３ａ，３ｂ，５ａ，５ｂは、例えば、絶縁板である繊維強化プラスチックや収納箱１と同様な金属で形成される。【００２１】
それぞれの電力貯蔵モジュールには正極端子２１Ｐａと負極端子２１Ｎａ（図１）が設置され、電力を取り出せる構造となっている。またその質量は数十ｋｇ程度であり、電力貯蔵モジュールを複数搭載したパレット４ａの質量は１００ｋｇ程度となる。パレット４ａは、上記質量を支えるために繊維強化プラスチックあるいは収納箱１と同様な金属で構成されたものであり、軽量化のためと、電力貯蔵モジュールから内部の電解液が漏れた場合に、それがパレット４ａの下部の絶縁プレート６ａに滴下するように、強度上必要のない部分は孔が空いた構造となっている。【００２２】
絶縁プレート６ａは、パレット４ａの直ぐ下に配置された、アクリル、ベークライト、強化プラスチック等の電気的絶縁物で構成された板であり、上部の電力貯蔵モジュールより電解液が漏出した場合に、電解液を通過させないで全て受け止めて、下段の電力貯蔵モジュール等に滴下しないようにするため、全面に渡って穴は設けられておらず、質量は数ｋｇ程度のものである。【００２３】
このように構成することで、電力貯蔵モジュール２０ａ１―２０ａ３をパレット４ａごと、ガイドレール３ａ，３ｂに沿って手前側にスライドさせて引き出すことが可能となる。電力貯蔵モジュールの点検や交換作業時には、電力貯蔵モジュールをパレット４ａごと収納箱１即ち電力貯蔵エリア１ｂの手前に引き出して、電力貯蔵モジュールの点検や交換作業を実施し、作業が終了したら再度電力貯蔵モジュールをパレット４ａごと収納箱１へ挿入する。このようにして、電力貯蔵モジュールの点検や交換作業が容易に行える。【００２４】
また、絶縁プレート６ａにより、下段の電力貯蔵モジュール２０ｂ１―２０ｂ３をパレットごと引き出す場合にその正極、あるいは負極端子が上段のパレット４ａに接触するのを防止できる。また、電力貯蔵モジュールが破損して内部の電解液が漏出した場合において、下段の電力貯蔵モジュールに電解液が滴下し、被害が拡大するのを防止できる。さらに、定期的に絶縁プレート６ａを引き出して、絶縁プレート６ａの表面に電解液が付着していないか点検することで、電力貯蔵モジュール２０ａ１―２０ａ３からの電解液の漏出の有無を、電力貯蔵モジュールをパレット４ａごと引き出すことなく確認できる。【００２５】
なお、パレット４ａとガイドレール３ａ，３ｂが接する箇所には、すべりを良くしてパレット４ａの引き出しを容易にするために、塗油したり、ベアリングを設けたりすることがなお好ましい。また、ガイドレール３ａ，３ｂは、パレット４ａの下面を支える構造としているが、パレット４ａの上下方向のズレを無くすために、パレット４ａの上面に接する部分にも別のガイドレールを設けてパレット４ａを上下からガイドする構成としてもよい。【００２６】
同様にして構成された、中段，下段の各パレットに配置された電力貯蔵モジュールとは、互いに直並列に接続され、最も電位の高くなる電力貯蔵モジュールの正極端子が正極側の主回路配線２２Ｐに、最も電位の低くなる電力貯蔵モジュールの負極端子が負極側の主回路配線２２Ｎに接続される。上段，中段，下段の各パレットに配置された電力貯蔵モジュール間を直並列接続する配線は、図１では概略的に示しているが、パレット４ａ，絶縁プレート６ａの引き出しに支障のないように、各段間の接続線は、例えば、収納箱１の後面側に配置している。さらに、収納箱１の後面側に上段，中段，下段ごとに正側と負側の接点を設け、各パレットの引き出しで、両接点が開放され、各パレットの収納で両接点が閉じるようにしてもよい。なお、パレットの電力貯蔵モジュールの構成は、図示のように３段１列に限定されるわけではなく、それ以外の段数で構成しでも良いし、複数の列にして構成しても良い。【００２７】
また、最も電位の高い電力貯蔵モジュールのパレットが収納箱１の最上段に、最も電位の低い電力貯蔵モジュールのパレットが収納箱１の最下段になるように配置される。このように配置することで、種々の電位の電力貯蔵モジュールが種々の高さに混在して配置される構成と比較して、電力貯蔵モジュールを点検あるいは交換するとき、点検対象あるいは交換対象の電力貯蔵モジュールがどの程度の電位を有するのかが視覚的に把握できるため、上段に配置されている電力貯蔵モジュールほどその電位の高さ考慮して慎重に作業をする等の工夫が可能になり、作業効率を上げることが可能となる。【００２８】
電力貯蔵モジュールからの正極側の主回路配線２２Ｐと、負極側の主回路配線２２Ｎとは、仕切板２に設けた貫通部材２２ａを通して収納箱１即ち制御機器エリア１ａの開閉保護装置部２３に接続され、開閉保護装置部２３から貫通部材２２ｂを通して、収納箱１の外部へ引き出され、外部のＤＣＤＣコンバータ等に接続される。また、制御回路配線３３は、仕切板２に設けた貫通部材３２ａを通して制御機器エリア１ａの制御部３５に接続され、貫通部材３２ｂを通して、収納箱１の外部へ引き出され、外部の監視制御部（図示せず）に接続される。なお、監視制御部において、電力貯蔵モジュールの状態が監視され、ＤＣＤＣコンバータ等が制御される。さらに、制御回路配線３３は制御部３５から開閉保護装置部２３に接続されて、監視モニタ３０ａから得た電力貯蔵モジュールの状態を応じて、開閉保護装置部２３を開閉する。なお、開閉保護装置部２３は監視部からの信号によっても開閉される。各貫通部材は電気的絶縁材である例えば、ゴム，ナイロン，ベークライトで形成される。【００２９】
正極側の主回路配線２２Ｐ、負極側の主回路配線２２Ｎ用の貫通部材２２ａ，２２ｂは、制御回路配線３３用の貫通部材３２ａ，３２ｂとは別の貫通部材である。これらの貫通部材は、主回路配線２２Ｐ，２２Ｎ、制御回路配線３３が、収納箱１や仕切板２の材料端面に接触して損傷することのないように保護するための部材である。【００３０】
ここで、開閉保護装置部２３は、ヒューズや遮断器、開閉スイッチ等で構成された、回路を遮断、開閉する装置で構成される部分であり、制御部３５は、開閉保護装置部２３の遮断器、開閉スイッチ等の動作を制御する部分である。また、仕切板２は、電力貯蔵モジュールが搭載されたパレット４ａを支持する機能のほか、電力貯蔵モジュールが配置される収納箱１の電力貯蔵エリア１ｂと、開閉保護装置部２３、制御部３５が配置される収納箱１の制御機器エリア１ａとを分離するために設けられている。【００３１】
これは、電力貯蔵モジュールが故障して破裂した場合において、その破片や電解液が開閉保護装置部２３、制御部３５に飛散して、これらを損傷することを防止するものであり、このような構成とすることで、電力貯蔵モジュール破損時においても、開閉保護装置部２３、制御部３５を確実に機能させ、回路を遮断することが可能となり、安全・安定な電力貯蔵装置が得られる。【００３２】
正極側の主回路配線２２Ｐ、負極側の主回路配線２２Ｎは固定部材２４で収納箱１の壁面等に固定され、制御回路配線３３は別の固定部材３４で収納箱１の壁面等に固定されている。固定部材は、絶縁材料例えば、ベークライトや、ビニール，テフロン（登録商標）等の結束バンド又は金属をゴムでコーティングしたもの等で形成され、強度を勘案して適宜選択される。なお、短絡故障時において、正極側の主回路配線２２Ｐ、負極側の主回路配線２２Ｎには大電流が流れるため、互いに退け合う方向の大きな電磁力が生じる。このような場合は、主回路配線２２Ｐ、２２Ｎを強固に固定しておかないと、これらの位置が大きく動いたり、変形したりして、周囲にある制御回路配線３３、制御部３５、開閉保護装置部２３を損傷し、これらの正常な機能を阻害する可能性がある。【００３３】
このようなことを避けるため、主回路配線２２Ｐ、２２Ｎは、制御回路配線３３の固定と比較して強固な構造で固定される必要があり、固定部材２４は固定部材３４と比較し、強度のある構造のものとし、さらに制御回路配線３３から離して配置されている。なお、正極側の主回路配線２２Ｐ、負極側の主回路配線２２Ｎ用の貫通部材２２ａ，２２ｂが、制御回路配線３３用の貫通部材３２ａ，３２ｂとは別の貫通部材であることも、同じ理由である。【００３４】
なお、開閉保護装置部２３と制御部３５の下面は、取付部材４０ａ―４０ｅにて、収納箱１即ち制御機器エリア１ａの内部の底面より高さＨ１に位置する開口部の下端より、さらに高さＨ２のところまで持ち上げて配置されている。取付部材４０ａ―４０ｅは、例えば、仕切板２と同様な材料でよい。収納箱１に取り付けられた貫通部材２２ｂ，３２ｂも、同様に持ち上げて配置されている。収納箱１の開口部の下端を収納箱１の内部の底面より高さＨ１の部分までとしている理由は、電力貯蔵モジュールが破損し、内部の電解液が流れ出た場合に、収納箱１の外部へ電解液が流出してしまうのを防止するためである。Ｈ１の値は、電力貯蔵モジュールの電解液の量にもよるが、数ｃｍ程度が適当である。【００３５】
また、開閉保護装置部２３と制御部３５の下面を開口部の下端より、高さＨ２のところに配置することで、電力貯蔵モジュールが破損し、内部の電解液が流れ出た場合に、仕切り板２と収納箱１の隙間等を通して電解液が開閉保護装置部２３と制御部３５の制御機器エリア１ａに侵入した場合においても、開閉保護装置部２３と制御部３５が電解液で損傷することを回避でき、開閉保護装置部２３と制御部３５を確実に機能させて回路を遮断することが可能となると共に、損傷部位の拡大を防止することが可能となる。【００３６】
また、貫通部材２２ｂ，３２ｂを収納箱１の開口部の下端より高さＨ２のところに配置することにより、電力貯蔵モジュールが破損し、内部の電解液が流れ出た場合に、仕切り板２と収納箱１の隙間等を通して電解液が制御機器エリア１ａに侵入した場合においても、正極側の主回路配線２２Ｐと負極側の主回路配線２２Ｎ、制御回路配線３３、貫通部材２２ｂ，３２ｂとが電解液により損傷することを回避することが可能となり、被害の拡大を防止することが可能となる。【００３７】
開口部の周囲にはパッキン４１ａ―４１ｂが配置されており、カバー４２ａ，４２ｂにより制御機器エリア１ａと電力貯蔵エリア１ｂをそれぞれ独立に開閉することが可能な構成となっている。カバーをカバー４２ａ，４２ｂの２枚に分割して、それぞれ制御機器エリア１ａと電力貯蔵エリア１ｂを別々に覆うことができる構成としているため、点検箇所に応じた部位のみのカバーを外すことが可能となる。このように構成することで、例えば、常時充電されており電位を有する電力貯蔵モジュールを配置する電力貯蔵エリア１ｂのカバー４２ｂを閉じたまま、開閉保護装置部２３、制御部３５を収納する制御機器エリア１ａのカバー４２ａを開いて点検作業を実施することができるので、点検作業時の感電防止に効果を発揮する。ガバーはボルトで開口部に固定してもよい。また、開口部の一端に引っ掛け、他端を嵌合するようにしてもよいし、ボルトとの併用でもよい。
実施の形態２．【００３８】
図７は実施の形態２による電力貯蔵装置の正面図（前面カバーを閉じた状態）である。なお、各図を通じて、他の実施の形態と同一又は相当する部分には同一符号を付けてその説明を省略する。車両の床上又は屋根上６０への搭載を目的とし、取付部材５１ｄ，５１ｅを収納箱１の下部に設けたものである。このように、収納箱１を車両床下に設置する場合、屋根上に設置する場合、また車両内の床上に設置する場合のいずれにも適用が可能である。【００３９】
以上に示した実施の形態１，２の構成により、電力貯蔵モジュールの点検、交換作業が容易で、且つ作業時の感電を防止できる。また短絡故障時や電力貯蔵モジュールの破損時においても、開閉保護装置部、制御部等の電気部品や主回路配線、制御回路配線を損傷せずに、回路を遮断する等の動作が確実に得られる構成とした電力貯蔵装置を得ることが可能となる。
実施の形態３．【００４０】
図８は実施の形態３による電力貯蔵装置を示す構成断面図（前面カバーを閉じた状態）である。図８は実施の形態１のＢ−Ｂ線断面である図４に相当するものである。ここでは、実施の形態１に示した構成と異なる部分について説明する。実施の形態３では電力貯蔵モジュール２０ａ１―２０ａ３，２０ｂ１―２０ｂ３，２０ｃ１―２０ｃ３を効果的に冷却しようとするものである。図において、矢印は冷却風の流れを示している。電力貯蔵エリア１ｂの取り外しできるカバー４３には、防雨部材４３ａとエアフィルタ４４を設けている。電力貯蔵エリア１ｂから引き出しできるパレット４ａ１には、下流方向に孔の大きさを大きくして、電力貯蔵モジュール２０ａ１―２０ａ３，２０ｂ１―２０ｂ３，２０ｃ１―２０ｃ３をより均等に冷却するようにしている。収納箱１の背面には、エアダクト４５を設け、エアダクト４５内には送風用ブロア４６が配置されている。【００４１】
パレット４ａ１に空けた孔により、下流に配置された電力貯蔵モジュール（例えば２０ａ３）の周囲にも十分に風を流すことが可能となる。パレットは、実施の形態１と同じく複数段配置されている。矢印で示す冷却風の流れに従って、カバー４３から空気を吸い込み、各段のパレットの孔から各電力貯蔵モジュールに至って、各電力貯蔵モジュールを冷却し、エアダクト４５を通って収納箱１の下面より空気を排出する。なお、冷却風の流れはこれに限定されることはなく、別の箇所から空気を吸い込み、カバ−４３から排出する構成としてもよい。【００４２】
このように構成することで、実施の形態１に示した効果に加えて、電力貯蔵モジュールを強制空冷することが可能となり、小形・軽量な電力貯蔵装置を得ることが可能となる。また、もともと収納箱１に設けられている開口部に装着するカバーに、冷却風を通す構造としているので、冷却風の吸い込みに関しては、収納箱１の別の位置に新たに吸い込み口を設ける必要がなく、収納箱１の強度を損うことがない。なお、電力貯蔵エリアの電力貯蔵モジュールを強制空冷することを示したが，制御機器エリアも強制空冷するようにしてもよい。【００４３】
なお、実施の形態１，２，３とも、電力貯蔵装置を構成する部品（電力貯蔵モジュール、開閉保護装置部、制御部）が、電力貯蔵装置専用の収納箱１に収納された構成で説明しているが、このような形態に限定されるわけではない。例えば電力貯蔵システムを構成するＤＣＤＣコンバータやインバータ等（何れも図示せず）の収納箱の一部分に、電力貯蔵エリアと制御機器エリアを仕切板で仕切り、それぞれに設けた開口部にカバーを設けて、電力貯蔵装置を構成する部品が収納される構成の場合においても、実施の形態で開示した内容を適用することが可能であることは言うまでもない。
【産業上の利用可能性】
【００４４】
この明細書では、電鉄車両へ搭載する電力貯蔵システムに適用する電力貯蔵装置を対象に説明したが、適用分野はこれに限られるものではなく、電鉄分野の地上設置用の電力貯蔵システム，自動車，エレベータ，電力システム等、種々の関連分野への応用が可能であることは言うまでもない。
【図１】
2007122734.tif 000003
【図２】
2007122734.tif 000004
【図３】
2007122734.tif 000005
【図４】
2007122734.tif 000006
【図５】
2007122734.tif 000007
【図６】
2007122734.tif 000008
【図７】
2007122734.tif 000009
【図８】
2007122734.tif 000010
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを収納し、
前記制御機器エリアには、開口部を設けると共に、前記電力貯蔵モジュールを開閉保護する開閉保護装置部を収納し、
電力を充放電するための前記電力貯蔵モジュールからの主回路配線は前記開閉保護装置部を介して前記制御機器エリアから外部に導出され、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記電力貯蔵モジュールは、前記電力貯蔵エリアに設けられたパレット上に搭載されて複数段設け、前記各パレットは前記電力貯蔵エリアに固定されたガイドレールで保持されており、前記電力貯蔵エリアの開口部の前記カバーの取り外し時に、前記電力貯蔵モジュールを搭載した前記各パレットは、前記ガイドレールに沿ってスライドさせて前記電力貯蔵エリア外に引き出せるようにしたことを特徴とする電力貯蔵装置。
【請求項２】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを収納し、
前記制御機器エリアには、開口部を設けると共に、前記電力貯蔵モジュールを開閉保護する開閉保護装置部と、前記開閉保護装置部を制御する制御部を収納し、
電力を充放電するための前記電力貯蔵モジュールからの主回路配線は前記開閉保護装置部を介して前記制御機器エリアから外部に導出され、
前記制御部は、前記開閉保護装置部と制御回路配線で接続され、
前記制御部は、前記開閉保護装置部を開閉制御し、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記電力貯蔵モジュールは、前記電力貯蔵エリアに設けられたパレット上に搭載されて複数段設け、前記各パレットは前記電力貯蔵エリアに固定されたガイドレールで保持されており、前記電力貯蔵エリアの開口部の前記カバーの取り外し時に、前記電力貯蔵モジュールを搭載した前記各パレットは、前記ガイドレールに沿ってスライドさせて前記電力貯蔵エリア外に引き出せるようにしたことを特徴とする電力貯蔵装置。
【請求項３】
前記各パレットの下方には、前記電力貯蔵モジュールから漏出する電解液を通過させない絶縁プレートが配置され、前記各絶縁プレートは前記電力貯蔵エリアに固定されたガイドレールで保持されており、前記電力貯蔵エリアの開口部の前記カバーの取り外し時に、前記各絶縁プレートは前記ガイドレールに沿ってスライドさせて前記電力貯蔵エリア外に引き出せるようにした請求項１又は請求項２記載の電力貯蔵装置。
【請求項４】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを収納し、
前記制御機器エリアには、開口部を設けると共に、前記電力貯蔵モジュールを開閉保護する開閉保護装置部を収納し、
電力を充放電するための前記電力貯蔵モジュールからの主回路配線は前記開閉保護装置部を介して前記制御機器エリアから外部に導出され、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記電力貯蔵モジュールは、前記電力貯蔵モジュールのうち、対地電位の最も高いものが前記電力貯蔵エリアの上部に、対地電位の最も低いものが前記電力貯蔵エリアの下部になるように順に積層配置されるようにしたことを特徴とする電力貯蔵装置。
【請求項５】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを積層して収納し、
前記制御機器エリアには、開口部を設けると共に、前記電力貯蔵モジュールを開閉保護する開閉保護装置部を収納し、
電力を充放電するための前記電力貯蔵モジュールからの主回路配線は前記開閉保護装置部を介して前記制御機器エリアから外部に導出され、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記収納部の側面の前記開口部の下端は、前記収納箱の底面よりも高い位置としたことを特徴とする電力貯蔵装置。
【請求項６】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを積層して収納し、
前記制御機器エリアには、開口部を設けると共に、前記電力貯蔵モジュールを開閉保護する開閉保護装置部と、前記開閉保護装置部を制御する制御部を収納し、
電力を充放電するための前記電力貯蔵モジュールからの主回路配線は前記開閉保護装置部を介して前記制御機器エリアから外部に導出され、
前記制御部は、前記開閉保護装置部と制御回路配線で接続され、
前記制御部は、前記開閉保護装置部を開閉制御し、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記開閉保護装置部と前記制御部は、前記収納部の側面の前記開口部の下端より高い位置に配置するようにしたことを特徴とする電力貯蔵装置。
【請求項７】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを積層して収納し、
前記制御機器エリアには、開口部を設けると共に、前記電力貯蔵モジュールを開閉保護する開閉保護装置部を収納し、
電力を充放電するための前記電力貯蔵モジュールからの主回路配線は前記開閉保護装置部を介して前記制御機器エリアから外部に導出され、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記主回路配線を前記制御機器エリアの外部へ導出する位置は、前記収納部の側面の前記開口部の下端より高い位置に配置するようにしたことを特徴とする電力貯蔵装置。
【請求項８】
前記主回路配線と前記制御回路配線は、別々の固定部材を用いて前記収納箱内部にそれぞれ固定されるようにした請求項２又は請求項６記載の電力貯蔵装置。
【請求項９】
前記主回路配線と前記制御回路配線は、別々の貫通部材を用いて前記仕切板を貫通させるようにした請求項２又は請求項６記載の電力貯蔵装置。
【請求項１０】
前記カバーから冷却用空気が出入りできると共に、前記収納箱の背面に送風用ブロアを配置するようにした請求項１〜請求項９のいずれか１項に記載の電力貯蔵装置。
【手続補正２】
【補正対象書類名】明細書
【補正対象項目名】０００９
【補正方法】変更
【補正の内容】
【０００９】
この発明の電力貯蔵装置は、複数個を接続した電力貯蔵モジュールを搭載し、電力を充放電できる電力貯蔵装置において、収納箱を仕切板で仕切って電力貯蔵エリアと制御機器エリアとに分割し、前記電力貯蔵エリアには、開口部を設けると共に、前記電力貯蔵モジュールを収納し、前記制御機器エリアには、開口部を設けると共に、前記電力貯蔵モジュールを開閉保護する開閉保護装置部を収納し、電力を充放電するための前記電力貯蔵モジュールからの主回路配線は前記開閉保護装置部を介して前記制御機器エリアから外部に導出され、前記電力貯蔵エリアの開口部は、取り外し可能なカバーで覆われ、前記制御機器エリアの開口部は、前記電力貯蔵エリアの開口部の前記カバーと独立した取り外し可能なカバーで覆われ、前記電力貯蔵モジュールは、前記電力貯蔵エリアに設けられたパレット上に搭載されて複数段設け、前記各パレットは前記電力貯蔵エリアに固定されたガイドレールで保持されており、前記電力貯蔵エリアの開口部の前記カバーの取り外し時に、前記電力貯蔵モジュールを搭載した前記各パレットは、前記ガイドレールに沿ってスライドさせて前記電力貯蔵エリア外に引き出せるようにしたものである。
【手続補正３】
【補正対象書類名】明細書
【補正対象項目名】００１０
【補正方法】変更
【補正の内容】
【００１０】
また、この発明の電力貯蔵装置は、複数個を接続した電力貯蔵モジュールを搭載し、電力を充放電できる電力貯蔵装置において、収納箱を仕切板で仕切って電力貯蔵エリアと制御機器エリアとに分割し、前記電力貯蔵エリアには、開口部を設けると共に、前記電力貯蔵モジュールを収納し、前記制御機器エリアには、開口部を設けると共に、前記電力貯蔵モジュールを開閉保護する開閉保護装置部と、前記開閉保護装置部を制御する制御部を収納し、電力を充放電するための前記電力貯蔵モジュールからの主回路配線は前記開閉保護装置部を介して前記制御機器エリアから外部に導出され、前記制御部は、前記開閉保護装置部と制御回路配線で接続され、前記制御部は、前記開閉保護装置部を開閉制御し、前記電力貯蔵エリアの開口部は、取り外し可能なカバーで覆われ、前記制御機器エリアの開口部は、前記電力貯蔵エリアの開口部の前記カバーと独立した取り外し可能なカバーで覆われ、前記電力貯蔵モジュールは、前記電力貯蔵エリアに設けられたパレット上に搭載されて複数段設け、前記各パレットは前記電力貯蔵エリアに固定されたガイドレールで保持されており、前記電力貯蔵エリアの開口部の前記カバーの取り外し時に、前記電力貯蔵モジュールを搭載した前記各パレットは、前記ガイドレールに沿ってスライドさせて前記電力貯蔵エリア外に引き出せるようにしたものである。
【手続補正４】
【補正対象書類名】明細書
【補正対象項目名】００１１
【補正方法】変更
【補正の内容】
【００１１】
また、この発明の電力貯蔵装置は、前記各パレットの下方には、前記電力貯蔵モジュールから漏出する電解液を通過させない絶縁プレートが配置され、前記各絶縁プレートは前記電力貯蔵エリアに固定されたガイドレールで保持されており、前記電力貯蔵エリアの開口部の前記カバーの取り外し時に、前記各絶縁プレートは前記ガイドレールに沿ってスライドさせて前記電力貯蔵エリア外に引き出せるようにしたものである。
さらに、この発明の電力貯蔵装置は、複数個を接続した電力貯蔵モジュールを搭載し、電力を充放電できる電力貯蔵装置において、収納箱を仕切板で仕切って電力貯蔵エリアと制御機器エリアとに分割し、前記電力貯蔵エリアには、開口部を設けると共に、前記電力貯蔵モジュールを収納し、前記制御機器エリアには、開口部を設けると共に、前記電力貯蔵モジュールを開閉保護する開閉保護装置部を収納し、電力を充放電するための前記電力貯蔵モジュールからの主回路配線は前記開閉保護装置部を介して前記制御機器エリアから外部に導出され、前記電力貯蔵エリアの開口部は、取り外し可能なカバーで覆われ、前記制御機器エリアの開口部は、前記電力貯蔵エリアの開口部の前記カバーと独立した取り外し可能なカバーで覆われ、前記電力貯蔵モジュールは、前記電力貯蔵モジュールのうち、対地電位の最も高いものが前記電力貯蔵エリアの上部に、対地電位の最も低いものが前記電力貯蔵エリアの下部になるように順に積層配置されるようにしたものである。
【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを収納し、
前記制御機器エリアには、開口部を設けると共に、前記電力貯蔵モジュールを開閉保護する開閉保護装置部を収納し、
電力を充放電するための前記電力貯蔵モジュールからの主回路配線は前記開閉保護装置部を介して前記制御機器エリアから外部に導出され、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記電力貯蔵モジュールは、前記電力貯蔵エリアに設けられたパレット上に搭載されて複数段設け、前記各パレットは前記電力貯蔵エリアに固定されたガイドレールで保持されており、前記電力貯蔵エリアの開口部の前記カバーの取り外し時に、前記電力貯蔵モジュールを搭載した前記各パレットは、前記ガイドレールに沿ってスライドさせて前記電力貯蔵エリア外に引き出せるようにしたことを特徴とする電力貯蔵装置。
【請求項２】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを収納し、
前記制御機器エリアには、開口部を設けると共に、前記電力貯蔵モジュールを開閉保護する開閉保護装置部と、前記開閉保護装置部を制御する制御部を収納し、
電力を充放電するための前記電力貯蔵モジュールからの主回路配線は前記開閉保護装置部を介して前記制御機器エリアから外部に導出され、
前記制御部は、前記開閉保護装置部と制御回路配線で接続され、
前記制御部は、前記開閉保護装置部を開閉制御し、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記電力貯蔵モジュールは、前記電力貯蔵エリアに設けられたパレット上に搭載されて複数段設け、前記各パレットは前記電力貯蔵エリアに固定されたガイドレールで保持されており、前記電力貯蔵エリアの開口部の前記カバーの取り外し時に、前記電力貯蔵モジュールを搭載した前記各パレットは、前記ガイドレールに沿ってスライドさせて前記電力貯蔵エリア外に引き出せるようにしたことを特徴とする電力貯蔵装置。
【請求項３】
前記各パレットの下方には、前記電力貯蔵モジュールから漏出する電解液を通過させない絶縁プレートが配置され、前記各絶縁プレートは前記電力貯蔵エリアに固定されたガイドレールで保持されており、前記電力貯蔵エリアの開口部の前記カバーの取り外し時に、前記各絶縁プレートは前記ガイドレールに沿ってスライドさせて前記電力貯蔵エリア外に引き出せるようにした請求項１又は請求項２記載の電力貯蔵装置。
【請求項４】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを収納し、
前記制御機器エリアには、開口部を設けると共に、前記電力貯蔵モジュールを開閉保護する開閉保護装置部を収納し、
電力を充放電するための前記電力貯蔵モジュールからの主回路配線は前記開閉保護装置部を介して前記制御機器エリアから外部に導出され、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記電力貯蔵モジュールは、前記電力貯蔵モジュールのうち、対地電位の最も高いものが前記電力貯蔵エリアの上部に、対地電位の最も低いものが前記電力貯蔵エリアの下部になるように順に積層配置されるようにしたことを特徴とする電力貯蔵装置。
【請求項５】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを積層して収納し、
前記制御機器エリアには、開口部を設けると共に、前記電力貯蔵モジュールを開閉保護する開閉保護装置部を収納し、
電力を充放電するための前記電力貯蔵モジュールからの主回路配線は前記開閉保護装置部を介して前記制御機器エリアから外部に導出され、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記収納箱の側面の前記開口部の下端は、前記収納箱の底面よりも高い位置としたことを特徴とする電力貯蔵装置。
【請求項６】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを積層して収納し、
前記制御機器エリアには、開口部を設けると共に、前記電力貯蔵モジュールを開閉保護する開閉保護装置部と、前記開閉保護装置部を制御する制御部を収納し、電力を充放電するための前記電力貯蔵モジュールからの主回路配線は前記開閉保護装置部を介して前記制御機器エリアから外部に導出され、
前記制御部は、前記開閉保護装置部と制御回路配線で接続され、
前記制御部は、前記開閉保護装置部を開閉制御し、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記開閉保護装置部と前記制御部は、前記収納箱の側面の前記開口部の下端より高い位置に配置するようにしたことを特徴とする電力貯蔵装置。
【請求項７】
複数個を接続した電力貯蔵モジュールを搭載し、電力を充放電できる電力貯蔵装置において、
収納箱を仕切板で仕切って電力貯蔵エリアと制御機器エリアとに分割し、
前記電力貯蔵エリアには、開口部を設けると共に、前記電力貯蔵モジュールを積層して収納し、
前記制御機器エリアには、開口部を設けると共に、前記電力貯蔵モジュールを開閉保護する開閉保護装置部を収納し、
電力を充放電するための前記電力貯蔵モジュールからの主回路配線は前記開閉保護装置部を介して前記制御機器エリアから外部に導出され、
前記電力貯蔵エリアの開口部は、取り外し可能なカバーで覆われ、
前記制御機器エリアの開口部は、前記電力貯蔵エリアの開口部の前記カバーと独立した取り外し可能なカバーで覆われ、
前記主回路配線を前記制御機器エリアの外部へ導出する位置は、前記収納箱の側面の前記開口部の下端より高い位置に配置するようにしたことを特徴とする電力貯蔵装置。
【請求項８】
前記主回路配線と前記制御回路配線は、別々の固定部材を用いて前記収納箱内部にそれぞれ固定されるようにした請求項２又は請求項６記載の電力貯蔵装置。
【請求項９】
前記主回路配線と前記制御回路配線は、別々の貫通部材を用いて前記仕切板を貫通させるようにした請求項２又は請求項６記載の電力貯蔵装置。
【請求項１０】
前記カバーから冷却用空気が出入りできると共に、前記収納箱の背面に送風用ブロアを配置するようにした請求項１〜請求項９のいずれか１項に記載の電力貯蔵装置。